(57)【特許請求の範囲】
【請求項１】
底部を有して側面に開口部を有する筒部材と、
前記筒部材へ挿入されて前記筒部材に沿った長手方向に移動可能であり、先細部と底面とを有して側面に凸部を有する芯体と、
前記筒部材の内部側の前記底部と前記芯体の前記底面との間に配設され、前記筒部材へ挿入されている前記芯体の前記先細部が前記筒部材から突出するように前記芯体を付勢する付勢部材と、
を具備し、
前記付勢部材は自然長の長さが互いに異なり直径が互いに異なる少なくとも２つの第１のバネと第２のバネとを有し、当該第２のバネは当該第１のバネの内部に配設されている、
ことを特徴とするタッチパネル操作用具の先端構造。
【請求項２】
前記芯体は前記先細部と前記凸部とを除いて、同一の太さを有していることを特徴とする請求項１に記載のタッチパネル操作用具の先端構造。
【請求項３】
前記筒部材は前記開口部を除いて、同一の太さを有していることを特徴とする請求項１又は請求項２に記載のタッチパネル操作用具の先端構造。
【請求項４】
前記芯体の前記凸部と前記筒部材の前記開口部とは、前記芯体が前記付勢部材によって付勢された際に、前記芯体が前記筒部材から抜け落ちないように、前記芯体が前記筒部材に対して引っ込まないように、前記芯体の移動量を規制することを特徴とする請求項１乃至請求項３のいずれかに記載のタッチパネル操作用具の先端構造。
【請求項５】
前記付勢部材はクッション部材をさらに有することを特徴とする請求項１乃至請求項４のいずれかに記載のタッチパネル操作用具の先端構造。
【請求項６】
前記第１のバネの自然長の長さをＬ１、前記第１のバネの直径をφ１、前記第２のバネの自然長の長さをＬ２、前記第２のバネの直径をφ２、としたとき、Ｌ１＞Ｌ２且つφ１＞φ２であることを特徴とする請求項１乃至請求項５のいずれかに記載のタッチパネル操作用具の先端構造。
【発明の詳細な説明】
【技術分野】
【０００１】
本発明はタッチパネルを操作するタッチパネル操作用具の先端構造に関する。
【背景技術】
【０００２】
近年、例えば携帯型情報機器におけるタッチパネルの普及に伴い、例えばタッチパネルに情報を入力するためにタッチパネルを操作するタッチパネル操作用具（以下、操作用具と称する）が開発されている。
【０００３】
タッチバネルは例えば電磁誘導タイプの場合、操作用具は電磁誘導タイプに対応する。この場合、タッチパネルは操作用具から発生する電磁波をタッチパネルの内部に配設されているコイル状の電気回路によって検出することで、操作用具の指示位置を特定している。これにより、タッチパネルは操作用具による操作を認識し操作用具によって操作される。このとき、例えば操作用具の先端部はタッチパネルの表面に接触することが一般的である。なお、タッチパネルが操作用具の指示位置を特定するためには操作用具はペンタイプであることが一般的である。
【０００４】
操作用具において、ユーザは操作用具の先端構造によって一般的に「書き味」といわれる操作時の感触を得ることができる。例えばユーザがペンや鉛筆などの筆記用具によって紙等に文字等を書く場合、紙の柔軟性によって「書き味」は柔らかくなりユーザは違和感のない感触を得ることができる。しかしながら、一般的にタッチパネルの表面の材質はガラスやプラスチック等の硬質材であるため柔軟性を有していない。これにより、ユーザは操作時において良好な感触を得られず、タッチパネルは操作時においてユーザに違和感を与えてしまう。このため一部の高級機種では操作用具は柔軟性が得られるように操作用具の先端構造にバネを有しており、これによりユーザが違和感のない感触を得られるようにしている。
【０００５】
このような操作用具は例えば特許文献１に開示されている。例えば特許文献１には、小型化及び軽量化を図ったイレーサユニット又は第２のペンユニットとして用いる位置指示ユニット及びそれを用いたスタイラスペンが開示されている。
【先行技術文献】
【特許文献】
【０００６】
【特許文献１】特開平８−３３５１３２号公報
【発明の概要】
【発明が解決しようとする課題】
【０００７】
上述した特許文献１において、操作用具の先端構造（先端部）は「芯体」として記載されているが形状や構造については具体的に開示されていない。
【０００８】
操作用具の先端構造は棒状で樹脂製の硬質体にて形成されているものが一般的であり、一部に圧縮フェルトにて形成されているものが存在している。圧縮フェルトの場合、紙に書く際の微細な接触抵抗を模している。しかしながらこのような構造では、「書き味」といわれる操作時の感触を良好に得られない。
【０００９】
また上述したように一部の高級機種では、先端構造は金属製のバネを有している。バネ構造の場合、紙に書く際の柔軟性を模している。しかしながら従来のバネ構造の場合、バネが芯体を巻き回して位置決めされる構造であるために先端構造は複雑となってしまっている。
【００１０】
バネ構造を有する従来の先端構造１２１は、図６Ａと図６Ｂとに示すように、芯体１２５と、芯体１２５の基端部１２５ｂに巻き回されるバネ１２７と、芯体１２５の基端部１２５ｂが嵌り込む筒部材１２３と、を有している。
【００１１】
図６Ｂに示すように、芯体１２５の基端部１２５ｂは、先端部１２５ａ側に比べて縮径するように加工されている。また基端部１２５ｂは、基端部１２５ｂが二股に分かれるように凹んでいる切り欠き部１２５ｆを有している。二股部は周方向に略１８０度離れて配設されている。二股部は筒部材１２３に形成される開口部１２３ｄに嵌る凸部１２５ｇを有している。切り欠き部１２５ｆと凸部１２５ｇとは加工によって形成される。
【００１２】
このように芯体１２５は加工を施される必要があり製造に手間が掛かる。また芯体１２５は切り欠き部１２５ｆと凸部１２５ｇとによって複雑な形状となっている。またバネ１２７を基端部に巻き回して位置決めする必要があり、先端構造１２１の組み立て及び構造が複雑となっている。
【００１３】
このため本発明の課題は、芯体の加工を最小限とした構造で操作時の良好な感触を得ることができるタッチパネル操作用具の先端構造を提供することである。
【課題を解決するための手段】
【００１４】
前記課題を解決するため、本発明のタッチパネル操作用具の先端構造の一態様は、底部を有して側面に開口部を有する筒部材と、前記筒部材へ挿入されて前記筒部材に沿った長手方向に移動可能であり、先細部と底面とを有して側面に凸部を有する芯体と、前記筒部材の内部側の前記底部と前記芯体の前記底面との間に配設され、前記筒部材へ挿入されている前記芯体の前記先細部が前記筒部材から突出するように前記芯体を付勢する付勢部材と、を具備し、前記付勢部材は自然長の長さが互いに異なり直径が互いに異なる少なくとも２つの第１のバネと第２のバネとを有し、当該第２のバネは当該第１のバネの内部に配設されている、ことを特徴とする。
【発明の効果】
【００１５】
本発明によれば、芯体の加工を最小限とした構造で操作時の良好な感触を得ることができるタッチパネル操作用具の先端構造を提供することができる。
【図面の簡単な説明】
【００１６】
【図１Ａ】図１Ａは、本発明に係るタッチパネル操作用具の概略斜視図である。
【図１Ｂ】図１Ｂは、タッチパネル操作用具の先端構造の概略斜視図である。
【図１Ｃ】図１Ｃは、タッチパネル操作用具の先端構造の分解斜視図である。
【図１Ｄ】図１Ｄは、タッチパネル操作用具の先端構造の断面図である。
【図２Ａ】図２Ａは、付勢部材の変形例を示す先端構造の概略斜視図である。
【図２Ｂ】図２Ｂは、図２Ａに示すタッチパネル操作用具の先端構造の断面図である。
【図３Ａ】図３Ａは、付勢部材の変形例を示す先端構造の概略斜視図である。
【図３Ｂ】図３Ｂは、図３Ａに示すタッチパネル操作用具の先端構造の断面図である。
【図４Ａ】図４Ａは、付勢部材の変形例を示す先端構造の概略斜視図である。
【図４Ｂ】図４Ｂは、図４Ａに示すタッチパネル操作用具の先端構造の断面図である。
【図４Ｃ】図４Ｃは、図４Ａに示すバネにおける変異量と付勢力との関係を示す図である。
【図５Ａ】図５Ａは、規制部材の変形例を示す先端構造の断面図である。
【図５Ｂ】図５Ｂは、規制部材の変形例を示す先端構造の断面図である。
【図５Ｃ】図５Ｃは、規制部材の変形例を示す先端構造の断面図である。
【図６Ａ】図６Ａは、バネ構造を有する従来の先端構造の概略側面図である。
【図６Ｂ】図６Ｂは、バネ構造を有する従来の先端構造の分解斜視図である。
【発明を実施するための形態】
【００１７】
以下、図面を参照して本発明の実施形態について詳細に説明する。  
図１Ａ乃至図１Ｄを参照して第１の実施形態について説明する。  
図１Ａに示すようなタッチパネル操作用具（以下、操作用具１０）は、図示しない例えば電磁誘導タイプのタッチパネルを操作する。この場合、操作用具１０は電磁誘導タイプに対応する。操作用具１０は例えば合成樹脂などの非金属素材からなる筒状の本体部１１を外装体として有している。このような操作用具１０はスタイラスペン本体となっている。本体部１１はユーザの操作性を考慮して一般的な筆記具と同様の形状、例えば柱形状を有している。本体部１１の先端部１３は先細となっている。また先端部１３は開口部１５を有しており、本体部１１の内部には開口部１５と連通する図示しない空間部が配設されている。なお先端部１３は操作用具１０の先端部でもある。
【００１８】
図１Ａと図１Ｂとに示すように、先端部１３には操作用具１０の先端構造である先端ユニット２１が配設される。先端ユニット２１は開口部１５を介して先端部１３に挿入され、先端ユニット２１の先端部が先端部１３から突出するように先端部１３に装着される。先端ユニット２１は先端部１３に対して着脱自在となっており、本体部１１に対して交換可能である。
【００１９】
図１Ｃと図１Ｄとに示すように、先端ユニット２１は、開口部１５を介して先端部１３から本体部１１の内部に挿入され先端部１３に着脱自在に装着されて底部２３ｂを有する円筒状の筒部材２３と、筒部材２３に挿入されて筒部材２３に沿って筒部材２３の長手方向に移動可能な芯体２５と、筒部材２３の内部側の底部２３ｂと芯体２５の底面２５ｂとの間に配設されており、筒部材２３に挿入されている芯体２５に対して芯体２５の先細部２５ａが筒部材２３の先端部２３ａから突出するように芯体２５を付勢する付勢部材２７と、を有している。ここで、筒部材２３の底部２３ｂとは筒部材２３の内部側の底部と筒部材２３の外部側の底部との両方を意味するものとする。芯体２５の底面２５ｂは芯体２５の外部側の底面のことである。
【００２０】
筒部材２３は上述したように先端部１３に対して着脱自在となっており、本体部１１に対して交換可能である。図１Ａに示すように筒部材２３は、開口部１５と略同形状及び略同じ大きさを有しており、開口部１５に対してずれることなく開口部１５に嵌まり込み固定される。  
筒部材２３は筒部材２３の先端部２３ａから筒部材２３の底部２３ｂ（基端部）まで同一の太さを有している。詳細には、筒部材２３は後述する開口部２３ｄを除いて、同一の太さを有している。  
筒部材２３の先端部２３ａは芯体２５が入り込むように側面が開口している。筒部材２３は芯体２５よりも微小に大きく芯体２５よりも短い。筒部材２３は芯体２５を包み込むような形状を有している。ここで、筒部材２３の側面とは筒部材２３の円筒状の面のことである。
【００２１】
筒部材２３は、芯体２５が付勢部材２７によって筒部材２３から抜け落ちないようにするために、芯体２５に配設されている後述する凸部２５ｄが引っかかる開口部２３ｄを側面に有している。開口部２３ｄは、例えば筒部材２３の先端部２３ａに配設されており、凸部２５ｄに対応するように配設されている。開口部２３ｄは芯体２５の移動方向、つまり筒部材２３の長手方向に沿って形成されている例えば矩形形状の長穴である。開口部２３ｄは後述するように凸部２５ｄと共に芯体２５の移動量を規制する。
【００２２】
芯体２５において操作用具１０がタッチパネルを操作する際に、芯体２５の先細部２５ａは筒部材２３の先端部２３ａから突出しており、タッチパネルの表面に当接する。詳細には、芯体２５の先細部２５ａは付勢部材２７が自然長となるように伸びても筒部材２３の先端部２３ａから突出する。また芯体２５の先細部２５ａがタッチパネルの表面に当接し、芯体２５が筒部材２３の底部２３ｂ（基端部）に向かって移動して付勢部材２７が縮んでも、芯体２５の先細部２５ａは筒部材２３の先端部２３ａから突出する。
【００２３】
芯体２５は芯体２５の先細部２５ａ側から芯体２５の底面２５ｂ（基端部）まで同一の太さを有するように棒形状に、詳細には円柱形状に形成されている。つまり、芯体２５は先細部２５ａと後述する凸部２５ｄとを除いて、同一の太さを有している。先細部２５ａは先細となっている。芯体２５は例えば樹脂製の硬質体又は圧縮フェルトにより形成されている成型品である。芯体２５の先細部２５ａがタッチパネルの表面に当接した際に、芯体２５は例えば付勢部材２７によって筒部材２３に沿って筒部材２３の長手方向に移動可能となっている。
【００２４】
芯体２５は、芯体２５が付勢部材２７によって付勢された際に芯体２５が筒部材２３から抜け落ちないようにするために開口部２３ｄに引っかかり、芯体２５がタッチパネルに当接した際に芯体２５が筒部材２３に対して引っ込まないように開口部２３ｄに引っかかる凸部２５ｄを側面に有している。凸部２５ｄは芯体２５が移動することで、筒部材２３の長手方向において開口部２３ｄに沿って開口部２３ｄに対して摺動する。凸部２５ｄは例えば芯体２５の先細部２５ａ側の周面に１つ配設されており、芯体２５の径方向において外部に向かって突出している。芯体２５が筒部材２３に配設された際に凸部２５ｄは開口部２３ｄから突出しており、芯体２５が筒部材２３の長手方向に移動した際に凸部２５ｄは開口部２３ｄに当接することで芯体２５の移動量を規制する。ここで、芯体２５の側面とは芯体２５の円柱状の面のことである。
【００２５】
つまり開口部２３ｄと凸部２５ｄとは、芯体２５が筒部材２３から抜け落ちず、芯体２５が筒部材２３に対して引っ込まないように、さらに芯体２５の先細部２５ａが筒部材２３の先端部２３ａから突出するように、芯体２５の移動量を規制する規制部材２９である。
【００２６】
なお筒部材２３の周方向と芯体２５の周方向とにおいて、開口部２３ｄの長さ（幅）と凸部２５ｄの長さ（幅）とは、芯体２５が筒部材２３に沿って筒部材２３の長手方向に移動し芯体２５が筒部材２３の内部で周方向に回転することを防止するために、略同一である。
【００２７】
付勢部材２７は例えば金属製でコイル状のバネである。この場合、付勢部材２７の付勢力（バネの弾性力）はバネの交換等によって自在に調整可能である。付勢部材２７は筒部材２３の内部に配設されるために筒部材２３によって覆われる。付勢部材２７は筒部材２３の内部側の底部２３ｂと芯体２５の底面２５ｂとの間に配設されている。また付勢部材２７の付勢力は芯体２５の底面２５ｂに分布する。
【００２８】
次に本実施形態の動作方法について説明する。  
先端ユニット２１において、筒部材２３には付勢部材２７が挿入され、この後筒部材２３には芯体２５が挿入される。このとき芯体２５は筒部材２３に沿って筒部材２３の長手方向に移動可能となっている。また芯体２５の先細部２５ａは筒部材２３の先端部２３ａから突出している。
【００２９】
また付勢部材２７は、筒部材２３の内部側の底部２３ｂと芯体２５の底面２５ｂとの間に配設され、芯体２５の先細部２５ａが筒部材２３の先端部２３ａから突出するように芯体２５を付勢する。またこのとき芯体２５において、凸部２５ｄは開口部２３ｄに引っかかる。これにより芯体２５は、付勢部材２７の付勢力によって付勢されても、開口部２３ｄと凸部２５ｄとによって筒部材２３から抜け落ちを防止される。また芯体２５の先細部２５ａがタッチパネルの表面に当接しても、芯体２５は開口部２３ｄと凸部２５ｄとによって筒部材２３に対して引っ込むことを防止されている。つまり開口部２３ｄと凸部２５ｄとは芯体２５の先細部２５ａが筒部材２３の先端部２３ａから突出するように、芯体２５の移動量を規制している。
【００３０】
また開口部２３ｄの長さ（幅）と凸部２５ｄの長さ（幅）とは略同一である。そのため芯体２５は筒部材２３に沿って筒部材２３の長手方向に移動し、芯体２５は筒部材２３の内部で周方向に回転することを防止される。
【００３１】
図１Ａに示すように、先端ユニット２１（筒部材２３）は、開口部１５に嵌まり込み、先端部１３に装着され先端部１３に固定される。そして先端ユニット２１を有する操作用具１０はユーザによって把持されてタッチパネルを操作する。
【００３２】
このとき芯体２５の先細部２５ａは一般的にタッチパネルの表面に当接する。例えば当接力が付勢力よりも大きい場合付勢部材２７は縮み、芯体２５は筒部材２３の底部２３ｂ（基端部）に向かって移動する。このとき凸部２５ｄは開口部２３ｄに当接することで、芯体２５は開口部２３ｄと凸部２５ｄとによって筒部材２３に対して引っ込むことを防止されている。  
また芯体２５の先細部２５ａがタッチパネルの表面から離れた際、芯体２５は付勢部材２７の付勢力によって筒部材２３の先端部２３ａに向かって移動する。このとき凸部２５ｄは開口部２３ｄに当接することで、芯体２５は開口部２３ｄと凸部２５ｄとによって、筒部材２３から抜け落ちを防止される。  
上記において、芯体２５の先細部２５ａは筒部材２３の先端部２３ａから突出している。
【００３３】
ユーザがタッチパネルを操作する際に、このような芯体２５の移動はタッチパネルの表面がガラスやプラスチック等の硬質材であっても、ユーザに違和感のない良好な感触（「書き味」）を提供することとなる。
【００３４】
このように本実施形態では、筒部材２３に底部２３ｂを配設し、芯体２５を筒部材２３に沿って筒部材２３の長手方向に移動可能とし、付勢部材２７を筒部材２３の内部側の底部２３ｂと芯体２５の底面２５ｂとの間に配設して、付勢部材２７によって芯体２５を付勢することでタッチパネルの表面が硬質材であっても芯体２５を移動できる。これによりユーザに違和感のない良好な感触（「書き味」）を提供することができる。
【００３５】
また本実施形態では、上述したような芯体の加工を最小限とした構造で操作時の良好な感触を提供することができる。そのため本実施形態ではタッチパネルの表面がガラスやプラスチック等の硬質材であり柔軟性を有していない場合であっても、筒部材２３と芯体２５と付勢部材２７とによって柔軟性を得ることができる。これによりユーザは違和感のない感触を得ることができる。
【００３６】
また本実施形態では、図６Ａと図６Ｂとに示す構造とは異なり、付勢部材２７を筒部材２３の内部側の底部２３ｂと芯体２５の底面２５ｂとの間に配設して付勢部材２７と芯体２５とを筒部材２３に挿入させるため、付勢部材２７と芯体２５との位置合わせを不要にでき、付勢部材２７を芯体２５に巻き回して位置決めする必要が無く先端ユニット２１を組み立てることができ、付勢部材２７を固定したり嵌合したりする構造を不要にできる。
【００３７】
また本実施形態では、芯体２５を先細部２５ａ側から底面２５ｂまで同一の太さを有するように棒形状に形成し、先細部２５ａを先細となるように形成しているため、芯体２５の内部や外周面に付勢部材２７を配設する必要はない。このため芯体２５を複雑に成形する必要は無く、芯体の加工は先細部２５ａの先細加工と凸部２５ｄの加工とに限られるため、芯体の加工を最小限とした構造にすることができる。
【００３８】
また本実施形態では、図６Ａと図６Ｂとに示す構造とは異なり、芯体２５の基端部を加工する必要は無く、芯体の加工を最小限とした構造にできて製造の手間を省くことができる。
【００３９】
また本実施形態では、開口部２３ｄと凸部２５ｄとによって、芯体２５が筒部材２３に対して引っ込むことを防止でき、芯体２５が筒部材２３から抜け落ちることを防止でき、芯体２５の先細部２５ａを筒部材２３の先端部２３ａから突出できる。
【００４０】
また本実施形態では、開口部２３ｄの長さ（幅）と凸部２５ｄの長さ（幅）とが略同一であるため、凸部２５ｄは開口部２３ｄに対して幅方向に移動しない。このため本実施形態では、上述したように、芯体２５を筒部材２３に沿って筒部材２３の長手方向に移動でき、芯体２５が筒部材２３の内部で周方向に回転することを防止でき、ユーザに違和感のない良好な感触を提供することができる。このように本実施形態では、開口部２３ｄと凸部２５ｄとによって筒部材２３に対する芯体２５の周方向の移動を規制することができる。
【００４１】
また本実施形態では筒部材２３を芯体２５よりも微小に大きくし、芯体２５を筒部材２３に沿って筒部材２３の長手方向に移動可能としている。そのため本実施形態では、芯体２５の先細部２５ａがタッチパネルに当接した際にも、芯体２５を径方向にがたつかせることなく芯体２５を筒部材２３に沿って移動できるために、ユーザに違和感のない良好な感触を提供することができる。
【００４２】
また本実施形態では付勢部材２７をバネとすることで、バネによる反発性によってユーザは違和感のない感触（「書き味」）を得ることができる。
【００４３】
また本実施形態では筒部材２３によって付勢部材２７と芯体２５とを覆うために、これらと本体部１１との接触を防止でき、付勢部材２７と芯体２５との破損を防止できる。言い換えると本実施形態では、図６Ａと図６Ｂとに示す構造とは異なり、付勢部材２７と芯体２５とにおいて形状が変化しても筒部材２３によってこれらが覆われているために、本体部１１へのこの変化の影響を抑えることができ、本体部１１及び付勢部材２７と芯体２５とのそれぞれにおいて設計の自由度を向上させることができる。
【００４４】
また本実施形態では、図６Ａと図６Ｂとに示す構造とは異なり、筒部材２３によって付勢部材２７と芯体２５とを覆うために、先端ユニット２１は様々な形状を有する本体部１１に対応できる。
【００４５】
また本実施形態では付勢部材２７を筒部材２３の内部側の底部２３ｂと芯体２５の底面２５ｂとの間に配設するために、付勢部材２７の付勢力を無駄なく芯体２５に伝達することができる。また本実施形態では付勢部材２７の付勢力が芯体２５の底面２５ｂに分布するために、芯体２５が柔軟な材質であっても付勢力によって芯体２５が破損することを防止できる。
【００４６】
また本実施形態では本体部１１の内部に付勢部材を配設し、この付勢部材によって先端ユニット２１全体を付勢するのではなく、先端ユニット２１に芯体２５と芯体２５を付勢する付勢部材２７とを配設している。このため、本実施形態では、本体部１１の内部の構造を単純化することができ、本体部１１の設計の自由度を向上させることができる。
【００４７】
また本実施形態では本体部１１の基端部をノックして芯体２５を先端部１３から突出させるのではなく、芯体２５を付勢部材２７によって突出させているために、ユーザは素早くタッチパネルを操作することができる。
【００４８】
また本実施形態では付勢部材２７の付勢力を自在に調整することで、ユーザは感触を調整することができる。
【００４９】
また本実施形態では本体部１１に対して先端ユニット２１を交換できるために、ユーザに良好な感触を提供できる。
【００５０】
なお本実施形態では、付勢部材２７をバネとしたがこれに限定する必要は無く、付勢部材２７は図２Ａと図２Ｂとに示すように例えばクッション部材３３であっても良い。これにより本実施形態では、クッション部材３３による減衰性や柔軟性によって、ユーザは違和感のない感触（「書き味」）を得ることができる。
このように本実施形態では、図６Ａと図６Ｂとに示す構造とは異なり、バネ１２７だけではなくクッション部材３３も用いることができるため設計の自由度を高めることができる。
【００５１】
または本実施形態では、付勢部材２７は図３Ａと図３Ｂとに示すように例えばクッション部材３３とバネ３５との組み合わせでも良い。この場合、クッション部材３３とバネ３５との間にはバネ３５をクッション部材３３に押さえる例えば金属製のバネ押さえ部材３７が配設されている。これにより本実施形態ではバネ３５による反発性とクッション部材３３による減衰性や柔軟性とによって、ユーザはより違和感のない良質な感触（「書き味」）を得ることができる。
【００５２】
または本実施形態では、図４Ａと図４Ｂとに示すように、付勢部材２７は自然長の長さと直径とが互いに異なる複数、例えば２つのバネ３５ａ，３５ｂであってもよい。バネ３５ａ，３５ｂは例えば金属製でコイル状のバネである。バネ３５ａの自然長の長さはＬ１であり、バネ３５ａの直径はφ１である。またバネ３５ｂの自然長の長さはＬ１よりも短いＬ２であり、バネ３５ｂの直径はφ１よりも小さいφ２である。  
図４Ｂに示すように、バネ３５ｂはバネ３５ａの内部に配設される。
【００５３】
このため図４Ｃに示すように、芯体２５は一方の位置から所定の移動位置までは少ない荷重でも移動するため、芯体２５の変異量（移動量）は少ない付勢力であっても大きくなる。つまりユーザは柔らかい感触（「書き味」）を得ることとなる。  
また図４Ｃに示すように、芯体２５は所定の位置から他方の移動位置までは大きい荷重で移動するため、芯体２５の変異量（移動量）は大きい付勢力であっても小さい。つまりユーザは硬い感触（「書き味」）を得ることとなる。
【００５４】
このように本実施形態では芯体２５の位置（ユーザの力の入れ具合）に応じて異なる感触（「書き味」）を提供することができる。またこれらにより本実施形態では付勢部材２７の設計の自由度を向上させることができる。
【００５５】
なお本実施形態では、Ｌ１＞Ｌ２且つφ１＞φ２としたが、これに限定する必要は無く、Ｌ１＞Ｌ２且つφ１＜φ２であってもよい。
【００５６】
また本実施形態では、バネ３５ａの弾性定数とバネ３５ｂの弾性定数とは特に限定されず、一方の弾性定数と他方の弾性定数とは同一であってもよく、また一方の弾性係数が他方の弾性係数よりも高いというように異なっていてもよい。
【００５７】
また本実施形態では、芯体２５の移動量を規制部材２９（開口部２３ｄと凸部２５ｄと）によって規制したが、これに限定する必要は無く、図５Ａに示すように例えば芯体２５の先細部２５ａ側の周面の一部には切り欠き２５ｆが配設されており、筒部材２３の先端部２３ａは切り欠き２５ｆに向かって折れ曲がるようにかしめられていてもよい。
【００５８】
又は本実施形態では図５Ｂに示すように、規制部材２９には開口部２３ｄを貫通し、芯体２５の先細部２５ａ側に固定されるねじなどの固定部材３９が用いられても良い。
【００５９】
又は本実施形態では図５Ｃに示すように、規制部材２９には開口部２３ｄを貫通し、芯体２５の先細部２５ａ側に圧入されるピンなどの固定部材３９が用いられても良い。
【００６０】
これにより本実施形態では規制部材２９の設計の自由度を向上させることができる。なお本実施形態の規制部材２９の位置と数とは限定されない。
【００６１】
本発明は上記実施形態そのままに限定されるものではなく、実施段階ではその要旨を逸脱しない範囲で構成要素を変形して具体化できる。また上記実施形態に開示されている複数の構成要素の適宜な組み合せにより種々の発明を形成できる。
【００６２】
また本発明のいくつかの実施形態と変形例とを説明したが、これらは特許請求の範囲に記載された発明とその均等の範囲とに含まれる。
【００６３】
以下に、本願出願の当初の特許請求の範囲に記載された発明を付記する。
【００６４】
[１]  
底部を有して側面に開口部を有する筒部材と、
前記筒部材へ挿入されて前記筒部材に沿った長手方向に移動可能であり、先細部と底面を有して側面に凸部を有する芯体と、
前記筒部材の内部側の前記底部と前記芯体の前記底面との間に配設され、前記筒部材へ挿入されている前記芯体の前記先細部が前記筒部材から突出するように前記芯体を付勢する付勢部材と、
を具備することを特徴とするタッチパネル操作用具の先端構造。
【００６５】
[２]   
前記芯体は前記先細部と前記凸部を除いて、同一の太さを有していることを特徴とする[１]に記載のタッチパネル操作用具の先端構造。
【００６６】
[３]  
前記筒部材は前記開口部を除いて、同一の太さを有していることを特徴とする[１]又は[２]に記載のタッチパネル操作用具の先端構造。
【００６７】
[４]  
前記芯体の前記凸部と前記筒部材の前記開口部は、前記芯体が前記付勢部材によって付勢された際に、前記芯体が前記筒部材から抜け落ちないように、前記芯体が前記筒部材に対して引っ込まないように、前記芯体の移動量を規制することを特徴とする[１]乃至[３]のいずれかに記載のタッチパネル操作用具の先端構造。
【００６８】
[５]  
前記付勢部材はバネとクッション部材の少なくとも１つを有することを特徴とする[１]乃至[４]のいずれかに記載のタッチパネル操作用具の先端構造。
【００６９】
[６]  
前記付勢部材は自然長の長さが互いに異なり直径が互いに異なる複数の前記バネを有することを特徴とする[５]に記載のタッチパネル操作用具の先端構造。
【符号の説明】
【００７０】
１０…操作用具、１１…本体部、１３…先端部、１５…開口部、２１…先端ユニット、２３…筒部材、２３ａ…先端部、２３ｂ…底部、２３ｄ…開口部、２５…芯体、２５ａ…先細部、２５ｂ…底面、２５ｄ…突出部、２７…付勢部材。
【図１Ａ】
0005703895.tif 000002
【図１Ｂ】
0005703895.tif 000003
【図１Ｃ】
0005703895.tif 000004
【図１Ｄ】
0005703895.tif 000005
【図２Ａ】
0005703895.tif 000006
【図２Ｂ】
0005703895.tif 000007
【図３Ａ】
0005703895.tif 000008
【図３Ｂ】
0005703895.tif 000009
【図４Ａ】
0005703895.tif 000010
【図４Ｂ】
0005703895.tif 000011
【図４Ｃ】
0005703895.tif 000012
【図５Ａ】
0005703895.tif 000013
【図５Ｂ】
0005703895.tif 000014
【図５Ｃ】
0005703895.tif 000015
【図６Ａ】
0005703895.tif 000016
【図６Ｂ】
0005703895.tif 000017